(57)【要約】      （修正有）【課題】使用する者が不安感を生じることのない照明器具を提供する。【解決手段】後面側が取り付け面に取り付けられ、前面側に光を照射する光源部を有する照明器具であって、中央部に位置し、羽根２０を有する送風機２と、光源部が取り付けられる基板支持体と、送風機２の周囲を取り囲むように配置される光源部と、光源部を覆う正面視でリング状の形状を有する透光カバー１と、送風機２の中央前面部をカバーする正面視で円形状のガード１０と、透光カバー１の内周部とガード１０の外周部を連結するステー１１と、を備え、透光カバー１、ガード１０、ステー１１とが一体化されたユニット構成とし、このユニットを基板支持体に対して着脱可能に構成した。【選択図】図１
0003218705.tif 000002
【実用新案登録請求の範囲】
【請求項１】
後面側が取り付け面に取り付けられ、前面側に光を照射する光源部を有する照明器具であって、
中央部に位置し、羽根を有する送風機と、
光源部が取り付けられる基板支持体と、
送風機の周囲を取り囲むように配置される前記光源部と、
光源部を覆う正面視でリング状の形状を有する透光カバーと、
前記送風機の中央前面部をカバーする正面視で円形状のガードと、
透光カバーの内周部とガードの外周部を連結するステーと、を備え、
前記透光カバー、ガード、ステーとが一体化されたユニット構成とし、このユニットを前記基板支持体に対して着脱可能に構成したことを特徴とする照明器具。
【請求項２】
前記光源部に電源を供給する電源回路を含む電源部と、
この電源部と光源部を接続する配線と、を有し、前記ステー内に前記配線を配置することを特徴とする請求項１に記載の照明器具。
【請求項３】
前記電源部を収容する収容部であって、中央部に位置し円筒状に形成される収容部と、
リング状に形成される前記基板支持体と、
前記基板支持体の外周部と、前記収容部の外周部を連結する第２ステーと、を備えたことを特徴とする請求項２に記載の照明器具。
【考案の詳細な説明】
【技術分野】
【０００１】
本考案は、後面側が取り付け面に取り付けられ、前面側に光を照射する光源部を有する照明器具に関し、特にサーキュレーターの機能を有する照明器具に関する。
【背景技術】
【０００２】
かかる照明器具として、下記特許文献１に開示された照明器具が公知である。この照明器具は、送風機と照明部を備え、送風機の羽根は、前記照明部の中心部に形成された空間に配置されている。照明部の前方側（床面に近い側）は透光カバーにより覆われているが、送風機の前方側は露出しており、かつ、送風機の羽根はスピンナーにより片持ち支持された状態で回転する。
【先行技術文献】
【特許文献】
【０００３】
【特許文献１】特開２０１４−１５２６２７号公報
【考案の概要】
【考案が解決しようとする課題】
【０００４】
送風機の前面側に何もカバーするものがないため、送風機からの風を多く受けることができる一方、送風機の前面側に何もカバーするものがないため、特にその真下にいる場合は、不安感を生じさせるという問題がある。
【０００５】
本考案は上記実情に鑑みてなされたものであり、その課題は、使用する者が不安感を生じることのない照明器具を提供することである。
【課題を解決するための手段】
【０００６】
上記課題を解決するため本考案に係る照明器具は、後面側が取り付け面に取り付けられ、前面側に光を照射する光源部を有する照明器具であって、
中央部に位置し、羽根を有する送風機と、
光源部が取り付けられる基板支持体と、
送風機の周囲を取り囲むように配置される前記光源部と、
光源部を覆う正面視でリング状の形状を有する透光カバーと、
前記送風機の中央前面部をカバーする正面視で円形状のガードと、
透光カバーの内周部とガードの外周部を連結するステーと、を備え、
前記透光カバー、ガード、ステーとが一体化されたユニット構成とし、このユニットを前記基板支持体に対して着脱可能に構成したことを特徴とするものである。
【０００７】
かかる構成による照明器具の作用・効果を説明する。この照明器具は、後面側が取り付け面（例えば、天井）に取り付けられ、前面側に光を照射する光源部（照明部）を有する。さらに、光源部を覆う透光カバーを有しており、その中央部に送風機を有する。さらに送風機の中央前面部をカバーするガードを備えており、このガードと透光カバーとはステーにより連結されて一体化したユニットを構成する。従って、送風機の前面にはステーとガードが存在すると共に、透光カバーとはユニット化されているので、安心感を与えることができる。その結果、使用する者が不安感を生じることのない照明器具を提供することができる。
【０００８】
本考案において、前記光源部に電源を供給する電源回路を含む電源部と、
この電源部と光源部を接続する配線と、を有し、前記ステー内に前記配線を配置することが好ましい。
【０００９】
かかる構成によれば、配線が外観に現れることがなく、見栄えのよい配線を行うことができる。
【００１０】
本考案に係る前記電源部を収容する収容部であって、中央部に位置し円筒状に形成される収容部と、
リング状に形成される前記基板支持体と、
基板支持体の外周部と、前記収容部の外周部を連結する第２ステーと、を備えたことが好ましい。
【００１１】
かかる構成によれば、基板支持体と収容部と第２ステーとを一体化したユニットとして構成することができる。
【図面の簡単な説明】
【００１２】
【図１】本実施形態に係る照明器具の外観を示す正面図
【図２】図１に示す照明器具の外観を示す側面図
【図３】図１に示す照明器具の外観を示す背面図
【図４】図１において透光カバーを外した状態を示す正面図
【図５】中央部の縦断面図
【図６】主要な部材の分解斜視図
【図７】正逆回転の動作を示す図
【図８】光源部の構成を示す図
【図９】送風機の羽根の構成を示す外観斜視図
【図１０】一体化したユニットを示す図
【図１１】ＬＥＤ基板への配線構造を示す図
【考案を実施するための形態】
【００１３】
本考案に係る好適な実施形態を図面を用いて説明する。図１は、本考案に係る照明器具であるシーリングファンの外観を示す正面図である。図２は、同じく側面図である。図３は、同じく背面図である。図４は、図１の正面図において透光カバーを外した状態を示す図である。図５は、中央部の縦断面図である。図６は、主要な部材の背面側から見た分解斜視図である。なお、本明細書において、前面側とは床面に近い側をいい、後面側とは天井に近い側をいうものとする。
【００１４】
＜全体構成＞
本考案に係る照明器具（シーリングファン）は、室内照明器具としての機能と送風機（サーキュレーター）としての機能を併せ持つ。図６に示すように、前面側（床面に近い側）から順に、透光カバー１、送風機２、基板支持体３、電源部４、取り付け金具５を備えている。取り付け金具５（後面側）は、天井の所定の箇所（取り付け面）に固定される。
【００１５】
透光カバー１は、正面視でリング状に形成され光源部からの照射光を透過する。例えば、半透明（例えば、乳白色）の透光性樹脂により形成される。図１に示すように、中央部に円形のガード１０が設けられ、ガード１０と透光カバー１とは、３本の線状のステー１１により連結されている。ステー１１との連結は、ねじ等により行われる。従って、図１０に示すように、透光カバー１とステー１１とガード１０は、一体化したユニットを形成する。送風機２の前面にはステー１１とガード１０が存在すると共に、透光カバー１とはユニット化されているので、安心感を与えることができる。また、羽根２０のメンテナンスを行う時も、ユニットで取り外しできるので作業性がよく便利である。
【００１６】
送風機２は、正逆回転可能な羽根２０を有している。正逆回転に関しては、後述する。送風機２は、７枚の羽根２０を有するが、羽根２０の枚数は特定の枚数に限定されるものではない。
【００１７】
基板支持体３として、好ましくは鉄等の金属製の支持板３０を有し、リング状に形成される。支持板３０の外周に３カ所留め具３１が設けられ、透光カバー１が周知の方法により着脱自在に取り付けられる。
【００１８】
支持板３０は、ＬＥＤ基板６を取り付けるための取り付け面３２を有する。取り付け面３２は、留め具３１を有する面とは、段差があり、取り付け面３２の方が前方側に突出している。図８は、光源部６の構成を示す図である。ほぼＶ字形を有するＬＥＤ基板６２の上に多数のＬＥＤチップ６０が搭載されている。さらに、ＬＥＤチップ６０を覆うように集光レンズ６１が設けられる。集光レンズ６１は、透明あるいは半透明の樹脂により形成することができる。集光レンズ６１には、ＬＥＤチップ６０に対応する位置に凹部（不図示）が形成されている。ＬＥＤチップ６０と同数の集光レンズ６１が配置される。集光レンズ６１は、ＬＥＤ基板６に対して適宜の手段により結合される。集光レンズ６１を設けることで均一な光を透光カバー１から照射することができる。
【００１９】
ＬＥＤ基板６２の裏面は、直接支持板３０に密着（当接）してもよいし、間に放熱部材を挟んで支持板３０に結合してもよい。図４に示すように、ＬＥＤ基板６２は４枚搭載されており、全体として８角形に形成されている。なお、光源部６の構成としてはこれに限定されるものではなく、基板を円形に配置してもよく、８角形以外の例えば６角形に配置してもよい。なお、図４に示すように、常夜灯のＬＥＤを搭載する基板３３も備えている。
【００２０】
図６に示す電源部４は、商用電圧を直流電圧に変換する電源回路、ＬＥＤを駆動するＬＥＤ駆動回路、送風機２を駆動する駆動回路、リモコンからの指令に基づいて、各部分の駆動制御を行う制御回路などを備えている。電源部４は、収容部４０に収容される。収容部４０は、筒状のケース本体４０ａを有する。収容部４０の後面側に取り付け金具５が結合され、収容部４０の蓋の機能も果たす。
【００２１】
図３の背面図からも分かるように、収容部４０は、３本のステー４１によって基板支持体３と結合されて、一体化されたユニットを構成する。ステー４１は、ねじ等により収容部４０および基板支持体３と結合される。
【００２２】
図１１は、ＬＥＤ基板６２への配線構造を示す図である。電源部４からの電源供給のため配線６４が接続される。配線６４は、３本あるステー４１のうちの１本のステー４１の内部を通って配置される。これにより、配線６２を外部に露出させずに通すことができ見栄えを良くすることができる。取り付け面３２には、配線６４を通すための孔３２ａが形成されている。
【００２３】
配線６４の一部は、ＬＥＤ基板６２上の端子６５に接続される。また、配線６４の残りの一部は、常夜灯ＬＥＤ６３の基板３３上の端子６６に接続される。端子との接続は、コネクターやはんだ付け等の適宜の方法で行うことができる。
【００２４】
＜送風機の正逆回転＞
本考案に係る照明器具の送風機は正逆回転することができる。図７は、回転方向の違いによる空気の流れを概略的に示す図である。不図示のリモコンに風向き切り替えスイッチがもうけられており、回転方向を選択することができる。図７（ａ）は、下向きの回転状態であり、体感温度を下げることができるので、特に冷房時に有効である。図７（ｂ）は、上向きの回転状態であり、風を天井に当て、高いところにある暖かい空気を下に循環させることができ、特に暖房時に有効である。
【００２５】
図９は、送風機２の構成を示す外観斜視図である。図面の左側が前方側であり、右側が後方側である。前方側からみて時計方向周りが正回転であり、風向きは下向きになる。前方側からみて反時計回りが逆回転であり、風向きは上向きになる。羽根２０の中央には円筒状の羽根支持部２１が一体成型される。羽根２０と羽根支持部２１は、接続部２２において連結する。羽根２０の前方側の表面２０ａは、凹面に形成される。この凹面形状に従って、接続部２２の形状も曲線となっている。
【００２６】
図５は、中央部の断面図である。送風機２は、羽根支持部２１の中心に軸受孔２３を備えている。電源部４には、モーター７０が設けられており、そのモーター軸７１が軸受孔２３に挿入されて、羽根２０を回転駆動することができる。
【００２７】
透光カバー１の前面側と羽根２０の前面側（床面に最も近くなる位置）とを比べると、羽根２０の前面側の位置の方が突出しており、突出長さは図５において距離Ｌで示されている。突出量Ｌは、例えば、数ｃｍに設定することができる。送風機２によりも直径の大きな光源部が羽根２０よりも奥側にあるので部屋にいる者が圧迫感を感じることを抑制することができる。
【符号の説明】
【００２８】
１        透光カバー
２        送風機
３        基板支持体
４        電源部
５        取り付け金具
６        光源部
１０      ガード
１１      ステー
２０      羽根
３０      支持板
３３      基板
６０      ＬＥＤチップ
６１      集光レンズ
６２      ＬＥＤ基板
６３      常夜灯ＬＥＤ
６４      配線
【図１】
0003218705.tif 000003
【図２】
0003218705.tif 000004
【図３】
0003218705.tif 000005
【図４】
0003218705.tif 000006
【図５】
0003218705.tif 000007
【図６】
0003218705.tif 000008
【図７】
0003218705.tif 000009
【図８】
0003218705.tif 000010
【図９】
0003218705.tif 000011
【図１０】
0003218705.tif 000012
【図１１】
0003218705.tif 000013